(57)【特許請求の範囲】
【請求項１】
放射状に配置された突極を有するステータコアの前記突極に絶縁部材を介して巻線を巻回し、この巻線の端部を、電源側に接続される所定数のリード線に電気的に接続する接続構造において、
所定の隣り合う前記突極の間で、前記ステータコアの軸方向に突出する巻線端面より内側に、前記巻線の端部と前記リード線の端部との接続部を位置させるとともに、
前記ステータコアの片側端面に前記絶縁部材を介して組み付けられるリード線保持板を備え、該リード線保持板には、リード線保持板を前記ステータコアに組み付けたときに、前記隣り合う前記突極の間に位置すると共に前記接続部を収納する収納部が設けられ、かつ、該収納部には前記リード線を導入する開口部が形成され、該開口部を介して導入された前記リード線に前記巻線の端部が絡げられ、前記開口部を、前記巻線端面より内側に位置させたことを特徴とするモータの巻線端とリード線との接続構造。
【請求項２】
前記収納部は、少なくともその一部が互いに対向して延びる２つの収納部壁面と、該壁面の間に該壁面の少なくとも一部と連続して設けられた収納部底面とを備え、
前記収納部底面は、前記リード線を導入する前記開口部を有し、前記開口部から導入され、かつ、前記巻線の端部が絡げられた前記リード線は、対向する前記２つの収納部壁面と前記収納部底面によって構成される空間に収納されることを特徴とする、請求項１に記載のモータの巻線端とリード線との接続構造。
【請求項３】
前記収納部は、前記リード線保持板が前記ステータコアに組み付けられたときに、前記ステータコアの外縁側から中心方向に向かって延びることを特徴とする、請求項１又は２に記載のモータの巻線端とリード線との接続構造。
【請求項４】
前記収納部は、前記リード線保持板が前記ステータコアに組み付けられたときに、前記ステータコアの周方向に延びることを特徴とする、請求項１又は２に記載のモータの巻線端とリード線との接続構造。
【請求項５】
前記リード線保持板は、その表面に前記リード線を這わせるリード線保持板底面と、該リード線保持板底面の表面を這う前記リード線を前記リード線保持板底面との間に保持するリード線押さえ部とを備えたことを特徴とする、請求項１〜４のいずれか１項に記載のモータの巻線端とリード線との接続構造。
【請求項６】
放射状に配置された突極を有するステータコアの前記突極に絶縁部材を介して巻線を巻回し、この巻線の端部を、電源側に接続される所定数のリード線に電気的に接続する接続方法において、
所定の隣り合う前記突極の間に、前記リード線の端部を配置するステップと、
前記リード線の端部に前記巻線の端部を接続するステップと、
前記リード線の端部に前記巻線の端部を接続した後に、前記リード線の端部を折り曲げて、前記巻線の端部と前記リード線の端部との接続部を、前記ステータコアの軸方向に突出する巻線端面より内側に位置させるステップと
を含み、
前記リード線の端部を配置するステップは、前記接続部を収納する収納部を有するリード線保持板を、前記絶縁部材を介して、前記ステータコアに組み付けるステップを含み、
前記収納部に形成された開口部を介して、前記リード線の端部を前記収納部に導入することによって、前記隣り合う前記突極の間に、前記リード線の端部を配置し、
前記リード線の端部を折り曲げることによって、前記接続部を前記収納部に収納することを特徴とする、モータの巻線端とリード線との接続方法。
【発明の詳細な説明】
【技術分野】
【０００１】
本発明は、モータの巻線端とリード線との接続構造及び方法に関する。
【背景技術】
【０００２】
小型モータにおいて、ステータコアの突極に巻回した巻線の端部と、リード線とを接続する端末処理構造としては、例えば、コイルエンドの上にリード線保持板を付けてその上で端末処理を行なう方式、すなわち、ＭＳＬ（fix plate for Motor Stator Lead wire）方式がある（例えば、特許文献１（第２図）参照）。この方式においては、所定の厚みを有するステータカバーを介してステータコアの上面にリード線保持板が組み付けられ、リード線保持板の下面又は上面に引き出されたリード線の芯線に、ステータコアの磁極に巻装された各相巻線の端部を接続している。リード線保持板は、巻線端をリード線に接続するために、リード線の先端に巻線を絡げるスペースとリード線を引き回すスペースを有していて、これらのスペースは、リード線保持板の下面又は上面に構成されている。ステータコアの軸方向からみると、リード線保持板は巻線の端面となるコイルエンドの位置よりもステータコアの軸方向外側に組み付けられている。また他の例として、ステータコアの径方向、すなわち幅よりも外側に突出した形状を有するリード線保持板を用いて、リード線の端部をまとめて保持すると共にリード線の端部と巻線の端部を接続する方式がある（例えば、特許文献２（第１図）参照）。この方式は、ミニＭＳＬ方式とも呼ばれている。
【先行技術文献】
【特許文献】
【０００３】
【特許文献１】実開平６−７４０５４号公報
【特許文献２】特開２００７−６０９００号公報
【発明の概要】
【発明が解決しようとする課題】
【０００４】
前述のように、上記ＭＳＬ方式においては、リード線の芯線と巻線端を接続するための処理スペースを備えるリード線保持板が、ステータコアの軸方向からみて、巻線端面としてのコイルエンドの位置よりもステータコアの軸方向外側に組み付けられている。したがって、リード線の芯線と巻線の端末処理に起因してモータの軸方向の寸法が長くなってしまうという問題がある。また、上記ミニＭＳＬ方式においては、リード線保持板の形状はステータコアの径方向の長さよりも外側に突出している。したがって、モータの外形も、リード線保持板の形状分、径方向に突出した変形形状となってしまう。
【０００５】
上記問題点に鑑みて本発明の目的は、例えば、モータの軸方向又は径方向の寸法を短縮させることができ、モータの外形に顕著な変化を与えることがない、モータの巻線端とリード線とを接続する構造及び方法を提供することにある。
【課題を解決するための手段】
【０００６】
本発明の一態様は、放射状に配置された突極を有するステータコアの前記突極に絶縁部材を介して巻線を巻回し、この巻線の端部を、電源側に接続される所定数のリード線に電気的に接続する接続構造に係る。この接続構造では、所定の隣り合う前記突極の間で、前記ステータコアの軸方向に突出する巻線端面より内側に、前記巻線の端部と前記リード線の端部との接続部を位置させている。
【０００７】
一例として、前記ステータコアの片側端面に前記絶縁部材を介して組み付けられるリード線保持板を備える。該リード線保持板には、リード線保持板を前記ステータコアに組み付けたときに、前記隣り合う前記突極の間に位置すると共に前記接続部を収納する収納部が設けられ、かつ、該収納部には前記リード線を導入する開口部が形成され、該開口部を介して導入された前記リード線に前記巻線の端部が絡げられ、前記開口部を、前記巻線端面より内側に位置させても良い。
【０００８】
例えば、前記収納部は、少なくともその一部が互いに対向して延びる２つの収納部壁面と、該壁面の間に該壁面の少なくとも一部と連続して設けられた収納部底面とを備え、前記収納部底面は、前記リード線を導入する前記開口部を有し、前記開口部から導入され、かつ、前記巻線の端部が絡げられた前記リード線は、対向する前記２つの収納部壁面と前記収納部底面によって構成される空間に収納される。
【０００９】
一例として、前記収納部は、前記リード線保持板が前記ステータコアに組み付けられたときに、前記ステータコアの外縁側から中心方向に向かって延びるように構成される。
【００１０】
他の例として、前記収納部は、前記リード線保持板が前記ステータコアに組み付けられたときに、前記ステータコアの周方向に延びるように構成される。
【００１１】
例えば、前記リード線保持板は、その表面に前記リード線を這わせるリード線保持板底面と、該リード線保持板底面の表面を這う前記リード線を前記リード線保持板底面との間に保持するリード線押さえ部とを備える。
【００１２】
一例として、前記リード線保持板が前記ステータコアに組み付けられたときに、前記リード線押さえ部は、前記巻線端面の内周側縁端と前記ステータコアの中心との間に設けられ、前記リード線の少なくとも一部を前記巻線端面の内周側縁端と前記ステータコアの中心との間に這わせるように構成しても良い。
【００１３】
本発明の一態様は、放射状に配置された突極を有するステータコアの前記突極に絶縁部材を介して巻線を巻回し、この巻線の端部を、電源側に接続される所定数のリード線に電気的に接続する接続方法に係る。この接続方法は、所定の隣り合う前記突極の間に、前記リード線の端部を配置するステップと、前記リード線の端部に前記巻線の端部を接続するステップと、前記リード線の端部に前記巻線の端部を接続した後に、前記リード線の端部を折り曲げて、前記巻線の端部と前記リード線の端部との接続部を、前記ステータコアの軸方向に突出する巻線端面より内側に位置させるステップとを含む。
【００１４】
一例として、前記リード線の端部を配置するステップは、前記接続部を収納する収納部を有するリード線保持板を、前記絶縁部材を介して、前記ステータコアに組み付けるステップを含み、前記収納部に形成された開口部を介して、前記リード線の端部を前記収納部に導入することによって、前記隣り合う前記突極の間に、前記リード線の端部を配置し、前記リード線の端部を折り曲げることによって、前記接続部を前記収納部に収納する。
【発明の効果】
【００１５】
本発明では、リード線と巻線の接続部がステータコアの軸方向及び径方向に突出しないことから、モータの小型化を図ることができる。
【図面の簡単な説明】
【００１６】
【図１】第１の実施形態に係るモータのステータ巻線端とリード線との接続構造を示すステータの斜視図である。
【図２】図１のステータの平面図である。
【図３】本発明に係る図１のステータコアを示す斜視図である。
【図４】本発明に係る図１のリード線保持板側のインシュレータを示す斜視図である。
【図５】図４のインシュレータの平面図である。
【図６】本発明に係る図１のリード線保持板側と反対側のインシュレータを示す斜視図である。
【図７】図３に示すステータコアに、図４及び図５に示すインシュレータと図６に示すインシュレータを組み付け、インシュレータを介して突極に巻線を巻き回した状態を示す斜視図である。
【図８】第１の実施形態に係るリード線保持板を示す斜視図である。
【図９】図８のリード線保持板の平面図である。
【図１０】図８及び図９に示すリード線保持板にリード線を保持した状態を示す斜視図である。
【図１１】図１０に示すリード線保持板を、図７に示すステータコアのリード側に組み付け、リード線の芯線に巻線を絡げた状態を示す斜視図である。
【図１２】図１及び図２に示すステータの側面図である。
【図１３】図１及び図２に示すステータに組み付けるブラケットを示す斜視図である。
【図１４】図１及び図２に示すステータに絶縁リングを組み付けた状態を示す斜視図である。
【図１５】第２の実施形態に係るリード線保持板を示す斜視図である。
【発明を実施するための形態】
【００１７】
［第１の実施形態］
以下、本発明の実施の形態を添付の図により説明する。図１及び図２は、第１の実施形態に係るモータの巻線端とリード線との接続構造を示す図である。図１は、この接続構造を示す斜視図であり、図２はこの接続構造を示す平面図である。本実施形態において、モータのステータ巻線端と外部電源に接続されるリード線はリード線保持板１を用いて接続されている。リード線保持板１は、中央にロータ軸を挿通する挿通孔を有しており、インシュレータ２ａを介してステータコア３に組み付けられている。外部電源に接続される所定数のリード線４はリード線保持板１の表面において引き回され、ステータコア３に組み付けられた巻線（マグネットワイヤ）５の端部と電気的に接続される。前記リード線４の芯線と巻線５の端部との接続部６は、リード線保持板１にリード線４の数に対応して設けられた収納部７ｂ〜７ｄ，７ｆ〜７ｈに収納されている。リード線４の数は巻線５の相数及び巻線方式によって設定されており、本実施形態では、６本のリード線４が用いられている。以下、ステータコア３、インシュレータ２ａ、（図１には図示されていない）インシュレータ２ｂ及びリード線保持板１の構成について、各図を参照しながら詳述する。
【００１８】
図３は、８つの磁極を備えたステータコア３を示す斜視図である。ステータコア３は磁極となる複数の突極１０ａ〜１０ｈを有している。各突極１０ａ〜１０ｈは、ステータコア３の周縁部に構成された内周側壁面９から中心方向に向かって延び、一定の間隔をおいて放射状に配設されている。各突極１０ａ〜１０ｈは、ステータコア３の周縁部から連続して中心方向に延びるマグネットワイヤ巻き付け部１１ａ〜１１ｈと、マグネットワイヤ巻き付け部１１ａ〜１１ｈから連続してステータコア３の周方向に拡がるように延びる張り出し部（極歯）１２ａ〜１２ｈとから成る。隣り合う突極１０ａ〜１０ｈの間にはそれぞれスロット１３ａ〜１３ｈが構成されている。
【００１９】
図４は、ステータコア３において突極が配設されている面の内、図１に表されている面、すなわち、リード線保持板１が配置される方の面に組み付けられるリード側インシュレータ２ａを示す斜視図である。図５は、リード側インシュレータ２ａを示す平面図である。なお、本願明細書では、ステータコア３においてリード線保持板１が配置される方の面をリード側と呼び、リード線保持板１が配置されない方の面を反リード側と呼ぶ。また、インシュレータ２ａ，２ｂ及びリード線保持板１では、特に断らない限り、これらの部材がステータコア３に組み付けられたときの位置関係においてリード側及び反リード側を規定している。加えて、特に断らない限り、「上」及び「下」とは、ステータコア３のリード側を上面、反リード側を下面として設定し、ステータコア３の軸方向（図３におけるＹ方向）からみたときの方位である。
【００２０】
リード側インシュレータ２ａは、各突極１０ａ〜１０ｈ（図３参照）をリード側から覆うリード側突極絶縁部１６ａ〜１６ｈと、ステータコア３の内周側壁面９を覆う内周側絶縁部１７と、リード側インシュレータ２ａをステータコア３に係止させる係止部１８とを備えている。内周側絶縁部１７は、リード側インシュレータ２ａをステータコア３に組み付けたときに、ステータコア３の内周側壁面９に沿うように構成され、ステータコア３の内周側壁面９のリード側部分を覆っている。リード側突極絶縁部１６ａ〜１６ｈは、内周側絶縁部１７から連続して形成されている。係止部１８は、内周側絶縁部１７から連続して、リード側インシュレータ２ａの径方向外側に延び、リード側インシュレータ２ａをステータコア３に組み付けたときに、ステータコア３のリード側表面に係止する。
【００２１】
リード側インシュレータ２ａは、さらに、リード線４をステータコア３の外側に引き出すリード線引き出し部１９と巻線５を誘導する巻線誘導部２０ｂ，２０ｃ，２０ｇ，２０ｈとを備える。リード線引き出し部１９は、リード側突極絶縁部１６ａが設けられた内周側絶縁部１７から連続して形成される係止部１８と一体的に構成され、底面１９ａと２つの側壁１９ｂを有している。底面１９ａは、係止部１８と面一に形成されて、係止部１８の外周縁よりもさらに径方向外側に突出している。側壁１９ｂは、係止部１８の外周縁と接続し且つリード側インシュレータ２ａの外側方向に延びる底面１９ａの端部から、底面１９ａに対して垂直方向に起立している。
【００２２】
巻線誘導部２０ｂ，２０ｃ，２０ｇ，２０ｈは、係止部１８を切り出して、切り出した部分に対応する内周側絶縁部１７を上方に向かって他の部分よりも長く延ばし、その先端部をリード側インシュレータ２ａの径方向外側に向かうように折り曲げた形状を有している。
【００２３】
各リード側突極絶縁部１６ａ〜１６ｈは、ステータコア３におけるマグネットワイヤ巻き付け部１１ａ〜１１ｈ（図３参照）の側面におけるリード側部分と上面とを覆う絶縁部から連続して、張り出し部１２ａ〜１２ｈ（図３参照）の背面におけるリード側部分を覆う側壁２２ａ〜２２ｈを備えている。加えて、リード側突極絶縁部１６ａは張り出し部１２ａの上面を覆う上壁２３ａを備えている。リード側突極絶縁部１６ｂ，１６ｈは、それぞれ張り出し部１２ｂ，１２ｈにおいて、突極１０ａに向かって張り出している部分の上面のみを覆う上壁２３ｂ，２３ｈを有している。上壁２３ａ，２３ｂ，２３ｈは、後述するように、リード線４がリード側突極絶縁部１６ｂ，１６ａの間と、リード側突極絶縁部１６ｈ，１６ａの間を通ってリード線引き出し部１９から引き出されるため、リード線４とステータコア３とを絶縁するために設けられている。
【００２４】
リード側突極絶縁部１６ａ〜１６ｈは、ステータコア３における突極１０ａ〜１０ｈの張り出し部１２ａ〜１２ｈ（図３参照）に対応する部分に、凸部２４ａ〜２４ｈを備えている。放射状に配設されたリード側突極絶縁部１６ａ〜１６ｈにおいて、一つ置きの凸部２４ｂ，２４ｄ，２４ｆ，２４ｈに、リード線保持板１をリード側インシュレータ２ａに組み付けるための接続凹部２５ｂ，２５ｄ，２５ｆ，２５ｈが形成されている。接続凹部２５ｂ，２５ｄ，２５ｆ，２５ｈは、凸部２４ｂ，２４ｄ，２４ｆ，２４ｈの内側面側に形成した凹部によって構成されている。
【００２５】
図５に示すように、側壁２２ｃ，２２ｄ，２２ｆ，２２ｇの上端面において、凸部２４ｃ，２４ｄ，２４ｆ，２４ｇは、リード側突極絶縁部１６ｅの方へ寄せて配置されている。したがって、リード側インシュレータ２ａを平面方向（リード側）から見たとき、凸部２４ｃ，２４ｄ，２４ｆ，２４ｇによって２つに分断された側壁２２ｃ，２２ｄ，２２ｆ，２２ｇの上端面の長さにおいて、リード側突極絶縁部１６ａに向かって延びる上端２６の長さとリード側突極絶縁部１６ｅに向かって延びる上端２７の長さは異なる。リード側突極絶縁部１６ａに向かって延びる上端２６には、リード線保持板１がステータコア３に組みつけられるときに、収納部７ｂ，７ｃ，７ｇ，７ｈが嵌め込まれる。リード側突極絶縁部１６ｅについては、凸部２４ｅは側壁２２ｅの上端面の中央に配置され、凸部２４ｅの左右に周方向に延びる上端２６には、それぞれ、収納部７ｄ，７ｆが位置することになる。
【００２６】
図６は、ステータコア３において反リード側の面に組み付けられる反リード側インシュレータ２ｂを示す斜視図である。インシュレータ２ｂは、各突極１０ａ〜１０ｈ（図３参照）を反リード側から覆う反リード側突極絶縁部３０ａ〜３０ｈと、ステータコア３の内周側壁面９の反リード側部分を覆う内周側絶縁部３１と、反リード側インシュレータ２ｂをステータコア３に係止させる係止部３２とを備えている。反リード側突極絶縁部３０ａ〜３０ｈは、各突極１０ａ〜１０ｈ（図３参照）の側面における反リード側部分と下面（反リード側の面）とを覆うように形成されている。隣り合う各反リード側突極絶縁部３０ａ〜３０ｈの間においては、係止部３２から連続して係止部３２よりも反リード側に突出する突出部３３が配設されている。突出部３３は、インシュレータ２ａ，２ｂを介して突極１０ａ〜１０ｈに巻線５を巻き回す際、ひとつの突極から次の突極にマグネットワイヤを引き回す部分、すなわち渡り線を掛止するために設けられている。
【００２７】
図７は、図３に示すステータコア３に、図４及び図５に示すリード側インシュレータ２ａと図６に示す反リード側インシュレータ２ｂを組み付け、インシュレータ２ａ，２ｂを介して突極１０ａ〜１０ｈに巻線５を巻き回した状態を示している。リード側インシュレータ２ａはステータコア３のリード側からステータコア３に組み付けられ、反リード側インシュレータ２ｂはステータコア３の反リード側からステータコア３に組み付けられている。リード側突極絶縁部１６ａ〜１６ｈ及び反リード側突極絶縁部３０ａ〜３０ｈは、それぞれ、突極１０ａ〜１０ｈに対応している。
【００２８】
ステータコア３に組み付けられたリード側インシュレータ２ａと反リード側インシュレータ２ｂは、ステータコア３の内周側壁面９と、スロット１３ａ〜１３ｈ（図３参照）を構成する突極１０ａ〜１０ｈの側面とにおいて、隙間なく接している。巻線５は、リード側突極絶縁部１６ａ〜１６ｈ（図４参照）と反リード側突極絶縁部３０ａ〜３０ｈ（図６参照）によって絶縁された突極１０ａ〜１０ｈのマグネットワイヤ巻き付け部１１ａ〜１１ｈに巻き回されている。図７に示すように、リード線引き出し部１９の外縁はステータコア３の外縁と整合するように構成されている。
【００２９】
図８及び図９はリード線保持板１を示す斜視図及び平面図である。リード線保持板１は、その表面にリード線４を這わせるリード線保持板底面４０と、リード線４と巻線５の端部との接続部６（図１及び図２参照）を収納する収納部７ｂ〜７ｄ，７ｆ〜７ｈを備えている。収納部７ｂ〜７ｄ，７ｆ〜７ｈは、リード線保持板底面４０上に放射状に配置されていて、それぞれ、リード線保持板１の周縁方向から中心方向に向かって延びる底面４１と、底面４１の端部から立ち上がってリード線保持板１の周縁方向から中心方向に向かって延び且つ互いに対向する２つの側壁４２と、この２つの側壁間を接続する側壁４３とから構成されている。底面４１と２つの側壁４２と、側壁４３とによって画定される空間に、接続部６（図１及び図２参照）が収納されることになる。このように、収納部７ｂ〜７ｄ，７ｆ〜７ｈはリード線保持板１の中心方向に向かって囲いを付けた形状となっている。
【００３０】
底面４１は、リード線保持板１の周縁側端部において孔４４を有している。２つの側壁４２において、一方の側壁４２の端部４５は、リード線保持板１の周方向に折り曲げられて延びている。リード線保持板底面４０の周縁には、その一部に沿って立ち上がり、周方向に延びるリード線保持板外周側壁４６が形成されている。リード線保持板外周側壁４６の端部からは、リード線保持板１の径方向外側に向かって延びるリード線誘導側壁４７が連続して形成され、このリード線誘導側壁４７は、側壁４２の端部４５と所定の間隔を置いて配置されている。収納部７ｂ，７ｃ，７ｇ，７ｈにおいて、他方の側壁４２の壁面はリード線保持板外周側壁４６の端部と接続して形成されている。収納部７ｄ，７ｆでは、他方の側壁４２の壁面は、後述する支持部５４と接続して形成されている。
【００３１】
各収納部７ｂ〜７ｄ，７ｆ〜７ｈにおいて周方向に延びる端部４５は、リード線保持板１がステータコア３に組み付けられたときに、リード線保持板１の周方向において突極１０ａに近い側の側壁４２に設けられている。したがって、本実施形態では図９に示すように、リード線保持板１をリード側を上として平面方向からみたとき、収納部７ｂと７ｈの間及び収納部７ｄと７ｆの間において、リード線４の導入部からリード線保持板１の中心を通る直線Ａに対し、収納部７ｂと７ｈ、収納部７ｃと７ｇ、収納部７ｄと７ｆの形状は、それぞれ対称である。
【００３２】
リード線保持板外周側壁４６の外側面には、リード線保持板１をリード側インシュレータ２ａに組み付けるための接続フック４８ｂ，４８ｄ，４８ｆ，４８ｈが形成されている。この接続フック４８ｂ，４８ｄ，４８ｆ，４８ｈは、リード線保持板外周側壁４６の外側面からリード線保持板１の径方向外側に向かって突出する凸部である。一方、リード線保持板１が組み付けられるリード側インシュレータ２ａには、前記接続フック８ｂ，４８ｄ，４８ｆ，４８ｈと対応する位置にこれらと係合する接続凹部２５ｂ，２５ｄ，２５ｆ，２５ｈ（図４及び図５参照）が形成されている。
【００３３】
リード線保持板１は、さらに、外部電源に接続されるリード線４を保持するリード線押さえ部５０ａ〜５０ｈを備える。リード線押さえ部５０ａ〜５０ｈは、リード線保持板底面４０に対して所定間隔を置いて平行方向に延びる板状部材であり、リード線保持板底面４０との間でリード線４を保持する。リード線押さえ部５０ｃ，５０ｈは、リード線導入部両側に位置するリード線保持板外周側壁４６の上端からリード線保持板１の中心方向に向かって延びている。
【００３４】
リード線保持板１の底面４０には、内周縁に沿って円筒状のリード線保持板内周側壁５２が立ち上がり、このリード線保持板内周側壁５２には、上端から収納部７ｂ，７ｃの相互間、収納部７ｇ，７ｈ相互間のリード線保持板１の外側方向に向かって、リード線押さえ部５０ｄ，５０ｇが形成されている。リード線保持板１のリード線導入部には、リード線保持板内周側壁５２の外面からリード線保持板１の外側方向に向かって、支持部５３が形成され、この支持部５３の上面に支持部５３の両側に挿通されるリード線４を保持するリード線押さえ部５０ａ，５０ｂが設けられている。
【００３５】
加えて、リード線保持板内周側壁５２には、その外面からリード線保持板１の外側方向に向かって、支持部５４が形成され、この支持部５４の上面に、底面４０に配線されるリード線４を保持するリード線押さえ部５０ｅ，５０ｆが設けられている。なお、収納部７ｄ，７ｆにおいて側壁４３は支持部５４と一体的に構成されている。
【００３６】
リード線保持板底面４０において、リード線押さえ部５０ｃ〜５０ｈと対向する部分には、ぞれぞれ、開口部５１が形成されている。リード線押さえ部５０ａ，５０ｂは、リード線保持板底面４０の外縁よりも外側に形成されていて、リード線４の組み付けを容易にしている。
【００３７】
図１０は、図８及び図９に示すリード線保持板１にリード線４を保持した状態を示している。本実施形態において、６本のリード線４ｂ〜４ｄ，４ｆ〜４ｈの端部は先端が剥皮されて芯線６０が露出している。リード線４ｂ〜４ｄ，４ｆ〜４ｈの端部を収納部７ｂ〜７ｄ，７ｆ〜７ｈに導入するために、リード線４ｂ〜４ｄ，４ｆ〜４ｈの各芯線６０を収納部７ｂ〜７ｄ，７ｆ〜７ｈに設けた孔４４に反リード側からリード側に向かって挿入する。挿入した各芯線６０は、巻線５の端部を絡め易くするために、リード線保持板底面４０に対して垂直方向に起立させておく。各リード線４ｂ〜４ｄ，４ｆ〜４ｈの他方の端部はリード線押さえ部５０ａ，５０ｂを介してリード線保持板１の外側に引き出す。以下に、各リード線４ｂ〜４ｄ，４ｆ〜４ｈの配置について説明する。
【００３８】
リード線４ｆ〜４ｈは、リード線保持板側壁４６の端部と支持部５３の間から各収納部７ｆ〜７ｈに延び、リード線押さえ部５０ａによって、リード線保持板底面４０に沿って保持されている。収納部７ｈに向かうリード線４ｈは、リード線押さえ部５０ｈによって、リード線保持板底面４０との間に保持されながら、リード線保持板側壁４６の内周面に沿って延び、さらに、リード線誘導側壁４７と収納部７ｈの側壁４２との間に延出されている。リード線誘導側壁４７に沿って延出されたリード線４ｈは、リード線保持板底面４０の外縁から側壁４２の端部４５の下側を通って孔４４から芯線６０部分を上方に導出させている。
【００３９】
リード線保持板内周側壁５２と収納部７ｈの側壁４３との間には、収納部７ｆに向かうリード線４ｆと収納部７ｇに向かうリード線４ｇとが延び、リード線押さえ部５０ｇによってリード線保持板底面４０との間に保持されている。リード線４ｆは、さらに、リード線保持板内周側壁５２と収納部７ｇの側壁４３との間との間に延び、リード線押さえ部５０ｆによってリード線保持板底面４０との間に保持されている。リード線４ｆ，４ｇにおいても、リード線４ｈと同様に、芯線６０部分がそれぞれ収納部７ｇ，７ｆの上方に導出されている。リード線４ｂはリード線４ｈと、リード線４ｃはリード線４ｇと、リード線４ｄはリード線４ｆと、それぞれ同様に配線されている。リード線押さえ部５０ｂはリード線押さえ部５０ａと、リード線押さえ部５０ｄはリード線押さえ部５０ｇと、リード線押さえ部５０ｅはリード線押さえ部５０ｆと、それぞれ対応している。
【００４０】
図１１は、リード線４を保持したリード線保持板１（図１０参照）を、インシュレータ２ａ，２ｂを介して巻線５を突極１０ａ〜１０ｈに巻き回したステータコア３（図７参照）のリード側に組み付け、リード線４の芯線６０に巻線５の剥皮した端部を絡げた状態を示す。リード線保持板１は、収納部７ｂが突極１０ｂと１０ｃの間に、収納部７ｃが突極１０ｃと１０ｄの間に、収納部７ｄが突極１０ｄと１０ｅの間に、収納部７ｆが突極１０ｅと１０ｆの間に、収納部７ｇが突極１０ｆと１０ｇの間に、収納部７ｈが突極１０ｇと１０ｈの間に位置するように、ステータコア３に組み付けられる。
【００４１】
収納部７ｂ〜７ｄ，７ｆ〜７ｈは、インシュレータ２ａのリード側突極絶縁部１６ｃ〜１６ｇの上端２６と凸部２４ｃ〜２４ｇの側面とによって画定される空間（図４及び図５参照）に嵌め込まれ、リード線誘導側壁４７は、リード側突極絶縁部１６ｂ〜１６ｄ，１６ｆ〜１６ｈの上端２７と凸部２４ｂ〜２４ｄ，２４ｆ〜２４ｈの側面とによって画定される空間（図４及び図５参照）に嵌め込まれる。各収納部７ｂ〜７ｄ，７ｆ〜７ｈにおいて、側面４２の端部４５は、ステータコア３のスロット１３ｃ〜１３ｈ（図３参照）に位置している。このように、側面４２の端部４５の下側がスロット１３ｃ〜１３ｈになっているため、端部４５の下側から孔４４に延びるリード線４をスロット１３ｃ〜１３ｅ，１３ｆ〜１３ｈ内に格納することができる。
【００４２】
リード線保持板外周側壁４６の外周面は、リード側突極絶縁部１６ａ〜１６ｈの凸部２４ａ〜２４ｈの内周面と接するように、リード側インシュレータ２ａに嵌め込まれる。リード線保持板１の接続フック４８ｂ，４８ｄ，４８ｆ，４８ｈは、リード側インシュレータ２ａの接続凹部２５ｂ，２５ｄ，２５ｆ，２５ｈに組み付けられ、これにより、リード線保持板１はリード側インシュレータ２ａに固定される。組み付けられたリード線保持板１において、リード線押さえ部５０ａ〜５０ｈは、コイルエンドの内周側縁端とステータコア３の中心との間に位置することになる。リード線４ｂ〜４ｄ，４ｆ〜４ｈは、リード線引き出し部１９において側壁１９ｂにより底面１９ａの上に保持されている。
【００４３】
突極１０ｂに巻き回した巻線５の端部は、収納部７ｂの孔４４を介して起立するリード線４の芯線６０に絡げられる。突極１０ｃからの巻線５の端部は収納部７ｃの芯線６０に、突極１０ｄからの巻線５の端部は収納部７ｄの芯線６０に、突極１０ｆからの巻線５の端部は収納部７ｆの芯線６０に、突極１０ｇからの巻線５の端部は収納部７ｇの芯線６０に、突極１０ｈからの巻線５の端部は収納部７ｈの芯線６０に、それぞれ絡げられて接続される。
【００４４】
巻線５は、巻線誘導部２０ｂ，２０ｃ，２０ｈに示すように、巻線誘導部２０ｂ，２０ｃ，２０ｈの外周に沿って巻線誘導部２０ｂ，２０ｃ，２０ｈの先端部の下を通して各収納部７ｂ，７ｃ，７ｈに導くように構成してもよく、巻線誘導部２０ｇに示すように、巻線誘導部２０ｇの内周と収納部７ｇの側面４２の端部４５との間に通して、収納部７ｇに導くように構成してもよい。突極１０ｄからの巻線５と、突極１０ｆからの巻線５は、リード側インシュレータ２ａの内周側絶縁部１７と、収納部７ｄ，７ｆの側壁４２の端部４５との間を通って、それぞれ収納部７ｄ，７ｆに導かれる。リード線４と巻線５とを接続した各接続部６は、巻線５が絡げられた芯線６０を各収納部７ｂ〜７ｄ，７ｆ〜７ｈの各底面４１に向かって折り曲げることにより、図１及び図２に示すように、各収納部７ｂ〜７ｄ，７ｆ〜７ｈに収納される。
【００４５】
図１２は、図１及び図２に示す、リード線保持板１を組み付けたステータコア３の側面図である。リード線４を各収納部７ｂ〜７ｄ，７ｆ〜７ｈに引き出す孔４４（図１及び図２参照）の位置は、ステータコア３の軸方向（図１２におけるＹ方向）からみたときに、巻線端面（コイルエンドのリード側端面）６２よりもステータコア３の中心に近く位置する。したがって、巻線５とリード線４の接続部６は、ステータコア３の軸方向からみて、巻線端面６２よりも、ステータコア３の中心に近い位置にある。すなわち、図１２に示すように、リード側を上、反リード側を下とすると、接続部６の位置は、巻線端面６２の高さよりも低い位置にある。図１２において、巻線端面６２よりも上方には、リード線保持板１におけるリード線押さえ部５０ａ，５０ｆ〜５０ｈの厚み分が僅かに存在するだけである。
【００４６】
ステータコア３の軸方向からみて、リード線保持板１のリード線保持板底面４０（図１及び図２参照）の位置は、巻線端面６２よりもステータコア３の中心に近く、各収納部７ｂ〜７ｄ，７ｆ〜７ｈの壁面４２，４３，リード線保持板側面４６及びリード線誘導側壁４７の上端（図１及び図２参照）は、巻線端面６２とほぼ同じか、巻線端面６２よりもステータコア３の中心に近く位置している。
【００４７】
以上に説明したように、本実施形態では、突極間のスロット１３ｃ〜１３ｈ（図３参照）に配置された収納部７ｂ〜７ｄ，７ｆ〜７ｈ（図１及び図２参照）に、リード線４と巻線５の接続部６が収納され、この接続部６の位置は、ステータコア３の軸方向からみたときに、巻線端面６２よりもステータコア３の内側にある。したがって、リード線４と巻線５の端末処理部がコイルエンドの上に位置せず、すなわち、端末処理部がステータコア３の軸方向に突出していない。また、本実施形態では、リード線４は、リード線保持板１を介して、ステータコア３の突極１０ａ〜１０ｈの内径側において引き回され、リード線引き出し部１９の外縁はステータコア３の外縁と整合するように構成されている（図１及び図２参照）。したがって、モータの外形において、端末処理に起因したモータ外形の顕著な変化や寸法増加を避けることができ、軸方向長さの短いモータの開発も可能となる。
【００４８】
図１３は、ステータコア３のリード側に組み付けるブラケット６７を示し、図１４は、リード線保持板１を組み付けたステータコア３（図１及び図２参照）のリード側に絶縁リング６８を組み付けた状態を示す。絶縁リング６８は、図１３に示すブラケット６７と図１及び図２に示すリード線４及び巻線５とを絶縁するための部材である。図１及び図２に示すリード線４と巻線５の接続構造は、一例として、図１４に示す絶縁リング６８をその上から組み付け、さらに絶縁リング６８の上から図１３に示すブラケット６７を組み付けたモータに用いられる。
【００４９】
［第２の実施形態］
図１５に、第２の実施形態に係るリード線保持板７０を示す。リード線保持板７０以外の構成要素であるステータコア３、インシュレータ２ａ，２ｂは、第１の実施形態と同様である。リード線保持板７０において、リード線保持板底面４０，リード線保持板外周側壁４６，リード線誘導側壁４７，接続フック４８ｂ，４８ｄ，４８ｆ，４８ｈ，開口部５１，リード線保持板内周側壁５２，支持部５３，支持部５４は、それぞれ、第１の実施形態における同一符号の構成要素に対応する（図８及び図９参照）。
【００５０】
収納部７１ｂ〜７１ｄ，７１ｆ〜７１ｈは、第１の実施形態における収納部７ｂ〜７ｄ，７ｆ〜７ｈと対応するが、その配置及び形状が異なる。収納部７１ｂ〜７１ｄ，７１ｆ〜７１ｈは、リード線保持板７０の外周において、それぞれ、周方向に延びる形状を有し、リード線保持板７０がステータコア３に組み付けられたときに、スロット１３ｃ〜１３ｈと対応する位置に構成されている。収納部７１ｂ〜７１ｄ，７１ｆ〜７１ｈは、周方向に延びる底面７３を有し、底面７３は、リード線保持板７０をステータコア３に組み付けたときに、周方向からみて突極１０ｅに近い方の端部において、孔７４を備えている。孔７４は第１の実施形態における孔４４と対応する。底面７３の内周側縁端から外周側縁端の一部に沿って連続して側壁７５が起立している。側壁７５のうち、底面７３の内周側縁端に沿って延びる部分と外周側縁端に沿って延びる部分とは、互いに対向している。底面７３と側壁７５によって確定される空間にリード線４と巻線５の接続部６が収納されることになる。
【００５１】
リード線保持板７０をリード側を上として平面方向からみたとき、収納部７１ｂと７１ｈの間及び収納部７１ｄと７１ｆの間において、リード線保持板７０の中心を通る直線Ｂに対し、収納部７１ｂと７１ｈ、収納部７１ｃと７１ｇ、収納部７１ｄと７１ｆの形状は、それぞれ対称である。リード線引き出し部７７は、リード線保持板底面４０によって構成されていて、その外縁は、リード線保持板側壁４６の外周面から連続し、リード線保持板７０がステータコア３に組み付けられたときに、突極１０ａの内周側に位置することになる。
【００５２】
リード線押さえ部７９ａ，７９ｂは、収納部７１ｂと７１ｈの間において、リード線保持板内周側壁５２と接し、支持部５３からリード線保持板７０の径方向に延びるように形成された板状部材である。リード線押さえ部７９ｃは、収納部７１ｂと７１ｃとの間において、リード線押さえ部７９ｄは、収納部７１ｃと７１ｄとの間において、リード線押さえ部７９ｆは、収納部７１ｆと７１ｇとの間において、リード線押さえ部７９ｇは、収納部７１ｇと７１ｈとの間において、リード線保持板内周側壁５２の外周面から、リード線保持板７０の外周側に向かって板状に延びている。
【００５３】
リード線保持板７０にリード線４が保持されるとき、リード線押さえ部７９ａは、その端部が収納部７１ｆ〜７１ｈに収納される３本のリード線を底面４０との間に保持し、リード線押さえ部７９ｂは、その端部が収納部７１ｂ〜７１ｄに収納される３本のリード線を底面４０との間に保持する。リード線押さえ部７９ｇは、その端部が収納部７１ｆ，７１ｇに収納される２本のリード線を底面４０との間に保持し、リード線押さえ部７９ｃは、その端部が収納部７１ｃ，７１ｄに収納される２本のリード線を底面４０との間に保持する。リード線押さえ部７９ｆは、その端部が収納部７１ｆに収納される１本のリード線を底面４０との間に保持し、リード線押さえ部７１ｄは、その端部が収納部７１ｄに収納される１本のリード線を底面４０との間に保持する。
【００５４】
各リード線４の端部は、第１の実施形態と同様に、孔７４を介して各収納部７１ｂ〜７１ｄ，７１ｆ〜７１ｈに引き出され、剥皮された芯線６０に巻線５の端部が絡げられることになる（図１１参照）。巻線５を絡げた芯線６０は、各収納部７１ｂ〜７１ｄ，７１ｆ〜７１ｈに収納されるように、リード線保持板７０の周方向に折り曲げられる。リード線４を保持したリード線保持板７０は、第１の実施形態におけるリード線保持板１と同様に、インシュレータ２ａ，２ｂを組み付けたステータコア３のリード側に嵌め込まれる。
【００５５】
リード線保持板１の代わりにリード線保持板７０を用いた端末処理においても、突極間のスロット１３ｃ〜１３ｈに配置された収納部７１ｂ〜７１ｄ，７１ｆ〜７１ｈに、リード線４と巻線５の接続部６が収納され、この接続部６の位置は、ステータコア３の軸方向からみたときに、巻線端面、すなわちコイルエンドのリード側端面よりもステータコア３の中心に近い。また、ステータコア３の外縁より外側に突出する構成要素は有していない。したがって、リード線保持板７０を用いた第２の実施形態においても、第１の実施形態と同様の利点を有する。
【００５６】
以上、本発明の実施形態について述べたが、本発明は既述の実施形態に限定されるものではなく、本発明の技術的思想に基づいて各種の変形及び変更が可能である。
【符号の説明】
【００５７】
１，７０  リード線保持板
２ａ  リード側インシュレータ
２ｂ  反リード側インシュレータ
３  ステータコア
４  リード線
５  巻線
６  接続部
７ｂ〜７ｄ，７ｆ〜７ｈ，７１ｂ〜７１ｄ，７１ｆ〜７１ｈ  収納部
１０ａ〜１０ｈ  突極
４０  リード線保持板底面
４１，７３  収納部底面
４２，７５  収納部側壁
４４，７４  孔（開口部）
５０ａ〜５０ｈ，７９ａ〜７９ｄ，７９ｆ，７９ｇ  リード線押さえ部
６２  巻線端面
【図１】
0005730532.tif 000002
【図２】
0005730532.tif 000003
【図３】
0005730532.tif 000004
【図４】
0005730532.tif 000005
【図５】
0005730532.tif 000006
【図６】
0005730532.tif 000007
【図７】
0005730532.tif 000008
【図８】
0005730532.tif 000009
【図９】
0005730532.tif 000010
【図１０】
0005730532.tif 000011
【図１１】
0005730532.tif 000012
【図１２】
0005730532.tif 000013
【図１３】
0005730532.tif 000014
【図１４】
0005730532.tif 000015
【図１５】
0005730532.tif 000016